(57)【要約】【課題】Ｌｏｗ−ＩＦアーキテクチャを採用したチューナモジュールにおいて受信妨害の影響を抑制する。【解決手段】局部発振信号を発振する局部発振回路１７と、地上テレビジョン放送における選局チャンネルの帯域外の信号レベルが低減されたＲＦ信号と局部発振回路１７から発振される局部発振信号とを混合してこのＲＦ信号を低周波の中間信号にダウンコンバートする混合回路１４と、局部発振回路１７が発振する局部発振信号の局部発振周波数を選局チャンネルの帯域内において受信妨害の影響が抑制される値にする制御を行う制御回路１６とを備える。【選択図】図４
2010154501.tif 000002
【特許請求の範囲】
【請求項１】
入力された地上テレビジョン放送におけるＲＦ信号の内、選局チャンネルの帯域外の信号レベルを低減するフィルタと、
局部発振信号を発振する局部発振回路と、
上記フィルタによって選局チャンネルの帯域外の信号レベルが低減されたＲＦ信号と上記局部発振回路から発振される局部発振信号とを混合して上記ＲＦ信号を中間周波数の信号にダウンコンバートする混合回路と、
上記局部発振回路が発振する局部発振信号の局部発振周波数を制御する制御回路とを備え、
上記制御回路は、上記選局チャンネルの上記中間周波数の信号の帯域内において、他チャンネルからの妨害波の影響を抑える局部発振周波数に制御するチューナモジュール。
【請求項２】
上記選局チャンネルの帯域内で受信妨害の影響が抑制される値からなる上記局部発振周波数の設定値を上記地上テレビジョン放送のチャンネル毎に記憶するメモリをさらに備え、上記制御回路は、上記メモリに記憶された上記設定値を読み出して上記局部発振回路に供給する請求項１記載のチューナモジュール。
【請求項３】
上記局部発振周波数は、当該チューナモジュールのプリセット時に設定されて上記メモリに記憶される請求項２記載のチューナモジュール。
【請求項４】
上記制御回路は、上記局部発振周波数を上記選局チャンネルの中心周波数に近い値に制御する請求項１記載のチューナモジュール。
【請求項５】
上記制御回路は、上記選局チャンネルに応じて、上記局部発振周波数を、上記選局チャンネルの中心周波数よりも上記中間周波数だけ高い値又は上記選局チャンネルの中心周波数よりも上記中間周波数だけ低い値に制御する請求項１記載のチューナモジュール。
【請求項６】
上記入力された地上テレビジョン放送におけるＲＦ信号の周波数情報を記憶するメモリと、同調回路とをさらに備え、
上記制御回路は、上記局部発振周波数が上記選局チャンネルの中心周波数よりも高い値に初期設定された状態で上記同調回路により上記選局チャンネルが設定された後に、上記周波数情報を参照して該選局チャンネルのチャンネル周波数よりも高周波側の該選局チャンネルよりも１つ上位のチャンネルに放送があると判断した場合、上記局部発振周波数を上記選局チャンネルの中心周波数よりも低い値に制御する請求項１記載のチューナモジュール。
【請求項７】
同調回路と高周波増幅回路とをさらに備え、
上記同調回路は、上記局部発振周波数が上記選局チャンネルの中心周波数よりも高い値に初期設定された状態で上記選局チャンネルを設定した後に、該選局チャンネルのチャンネル周波数よりも高周波側の該選局チャンネルよりも１つ上位のチャンネルを設定し、
上記制御回路は、上記選局チャンネルよりも１つ上位のチャンネルにおけるＲＦ信号のレベルに応じた上記高周波増幅回路を制御する制御データが所定の閾値以上であるか否かを判断し、該制御データが該所定の閾値以上であると判断した場合には上記局部発振周波数を上記選局チャンネルの中心周波数よりも低い値に制御する請求項１記載のチューナモジュール。
【請求項８】
上記入力された地上テレビジョン放送におけるＲＦ信号の周波数情報を記憶するメモリと、同調回路とをさらに備え、
上記制御回路は、上記局部発振周波数が上記選局チャンネルの中心周波数よりも低い値に初期設定された状態で上記同調回路により上記選局チャンネルが設定された後に、上記周波数情報を参照して該選局チャンネルのチャンネル周波数よりも低周数側の該選局チャンネルよりも１つ下位のチャンネルに放送があると判断した場合、上記局部発振周波数を上記選局チャンネルの中心周波数よりも高い値に制御する請求項１記載のチューナモジュール。
【請求項９】
同調回路と高周波増幅回路とをさらに備え、
上記同調回路は、上記局部発振周波数が上記選局チャンネルの中心周波数よりも低い値に初期設定された状態で上記選局チャンネルを設定した後に、該選局チャンネルのチャンネル周波数よりも低周波側の該選局チャンネルよりも１つ下位のチャンネルを設定し、
上記制御回路は、上記選局チャンネルよりも１つ下位のチャンネルにおけるＲＦ信号のレベルに応じた上記高周波増幅回路を制御する制御データが所定の閾値以上であるか否かを判断し、該制御データが該所定の閾値以上であると判断した場合には上記局部発振周波数を上記選局チャンネルの中心周波数よりも高い値に制御する請求項１記載のチューナモジュール。
【請求項１０】
上記選局チャンネルが、地上アナログテレビジョン放送のＶＨＦ（Very High Frequency）帯６チャンネル又は７チャンネルである場合の上記局部発振周波数は、上記選局チャンネルの中心周波数よりも３．７ＭＨｚ低い値である請求項５記載のチューナモジュール。
【請求項１１】
上記選局チャンネルが、地上アナログテレビジョン放送のＶＨＦ（Very High Frequency）帯１〜５、８〜１２チャンネルの何れかである場合の上記局部発振周波数は、上記選局チャンネルの中心周波数よりも４ＭＨｚ高い値である請求項５記載のチューナモジュール。
【発明の詳細な説明】
【技術分野】
【０００１】
本発明は、受信したＲＦ（Radio Frequency）信号を低周波数の中間信号にダウンコンバートするチューナモジュールに関する。
【背景技術】
【０００２】
図１は、従来の一般的なチューナモジュール１００の構成を示す図である。チューナモジュール１００は、例えば地上波テレビジョン放送を受信する。従来のチューナモジュール１００は、手動調整が必要な空芯コイル及び外部ＲＦアンプを有する回路部１０１と、ＶＣＯ（Voltage Controlled Oscillator）用外部共振器を有する回路部１０２とを備える。また、従来のチューナモジュール１００は、外部クリスタル基準信号源を有する回路部１０３と、中間周波数（ＩＦ；Intermediate Frequency）の信号（以下、「中間信号」という。）用ＳＡＷ（Surface Acoustic Wave）フィルタを有する回路部１０４とを備える。このような従来のチューナモジュール１００は、部品点数が約３００にもなり、例えば横１００ｍｍ×縦５０ｍｍ×厚さ１４ｍｍ程度と非常に大きな構成になる。
【０００３】
図２は、従来のチューナモジュール１００の内部構成を示すブロック図である。アンテナ５０１Ａにて受信されたＲＦ信号は、入力端子５０１を介して同調回路５０２に入力される。同調回路５０２は、ユーザのチャンネルの選択操作に応じて、ＲＦ信号の内、所望のチャンネルの帯域外の信号レベルを低減して周波数の選局処理の対象となるチャンネル（以下、「選局チャンネル」という。）を設定する。同調回路５０２にて設定された選局チャンネルのＲＦ信号は、高周波増幅回路５０３にて増幅される。混合回路５０４は、高周波増幅回路５０３より供給された信号と局部発振回路５０５より発振された局部発振信号とを混合して周波数変換を行い、中間信号を出力する。
【０００４】
従来の一般的なアナログテレビジョン受像機のチューナモジュールにおける映像中間周波数は、５８．７５ＭＨｚであり、イメージ周波数は希望波信号の周波数よりも１１７．５ＭＨｚ高い。したがって、イメージ信号は、同調回路５０２が有する受動素子のフィルタを用いて十分に低減させることができる。
【０００５】
ところで、近年、超薄型テレビジョン装置等が急速に普及しており、テレビジョン装置に搭載される部品の中で最も重要な部品の一つであるチューナモジュールの小型化及び薄型化が要求されている。また、多くのテレビジョン装置は、録画機能やマルチ画面表示等の多機能化に伴って複数のチューナモジュールを搭載するケースが増え、チューナモジュールの小型化は、益々要求されるようになってきている。
【０００６】
そこで、部品点数が多い従来のチューナモジュールに替えてＲＦ回路がＳｉ，ＳｉＧｅ等の半導体に集積されたシリコンＩＣ（Integrated Circuit）からなるチューナモジュールが採用されるようになっている。このようなシリコンＩＣからなるモジュールは、従来のチューナモジュールにおけるアナログ部品をＩＣに集積しているため、従来のチューナモジュールよりも部品点数が大幅に削減され、小型化を実現する。例えば図３に示すシリコンチューナモジュール１１０は、半導体にＣＭＯＳ（Complementary Metal Oxide Semiconductor）トランジスタ搭載型のＲＦ回路を集積するシリコンＩＣからなる。これにより、シリコンチューナモジュール１１０は、例えば部品点数を７５以下とし、チューナモジュール１００よりも遥かに小型の回路構成を実現している。
【先行技術文献】
【特許文献】
【０００７】
【特許文献１】特表２００８−５２１３５９号公報
【発明の概要】
【発明が解決しようとする課題】
【０００８】
シリコンＩＣからなるチューナモジュールの多くは、回路の小型化の観点で有利なＬｏｗ−ＩＦアーキテクチャを採用している。これは、入力されたＲＦ信号を所定の低い周波数の中間信号（Ｌｏｗ−ＩＦ）に変換して処理を行う方式をいうものである。この場合、選局チャンネルの近隣のチャンネルからの妨害波であるイメージ信号の周波数（イメージ周波数）は、希望波である選局チャンネルのＲＦ信号の周波数に比較的近い値となる。このため、イメージ周波数の信号を受動素子のフィルタの選択度特性にて完全に遮断するのは難しい。
【０００９】
なお、妨害波を除去するために振幅と位相を逆相にしてキャンセルするフィルタも実用化されているが、このようなフィルタであってもレベルの大きな妨害波を完全に遮断することは難しく、テレビジョン放送の画像にノイズが混入する虞がある。
【００１０】
本発明は、このような従来の実情に鑑みて提案されたものであり、Ｌｏｗ−ＩＦアーキテクチャを採用したチューナモジュールにおいても受信妨害の影響を抑制することを目的とする。
【課題を解決するための手段】
【００１１】
上述した目的を達成するために、本発明に係るチューナモジュールは、入力された地上テレビジョン放送におけるＲＦ信号の内、選局チャンネルの帯域外の信号レベルを低減するフィルタと、局部発振信号を発振する局部発振回路と、上記フィルタによって選局チャンネルの帯域外の信号レベルが低減されたＲＦ信号と上記局部発振回路から発振される局部発振信号とを混合して上記ＲＦ信号を中間周波数の信号にダウンコンバートする混合回路と、上記局部発振回路が発振する局部発振信号の局部発振周波数を制御する制御回路とを備え、上記制御回路は、上記選局チャンネルの上記中間周波数の信号の帯域内において、他チャンネルからの妨害波の影響を抑える局部発振周波数に制御する。
【発明の効果】
【００１２】
本発明によれば、Ｌｏｗ−ＩＦアーキテクチャを採用した地上テレビジョン放送受信用のチューナモジュールにおいて、選局チャンネルの近隣のチャンネルに存在するＲＦ信号に基づく受信妨害の影響を抑制することができる。
【図面の簡単な説明】
【００１３】
【図１】従来の一般的なチューナモジュールの構成を示す図である。
【図２】従来のチューナモジュールの内部構成を示すブロック図である。
【図３】シリコンチューナモジュールの構成を示す図である。
【図４】本実施の形態におけるチューナモジュールの内部構成を示すブロック図である。
【図５】従来の一般的なチューナモジュールであるチューナモジュールの内部構成を詳細に示す図である。
【図６】本実施の形態におけるチューナモジュールの回路構成の一部を詳細に示す図である。
【図７】図７（Ａ）は、地上アナログテレビジョン放送における一部のチャンネルの周波数割り当ての状態を示す概念図である。また、図７（Ｂ）は、地上アナログテレビジョン放送と地上デジタル音声放送が混在した場合の周波数割り当てを示す概念図である。
【図８】地上アナログテレビジョン放送のＶＨＦ帯における４〜６チャンネル及び８チャンネルのＲＦ信号の周波数スペクトル図である。
【図９】局部発振周波数ｆＬＯをUpper-Localに、中間周波数ｆＩＦを４ＭＨｚに設定し、地上アナログテレビジョン放送のＶＨＦ帯４チャンネルを選局チャンネルとした場合における中間信号の周波数スペクトル図である。
【図１０】局部発振周波数ｆＬＯをUpper-Localに、中間周波数ｆＩＦを４ＭＨｚに設定し、地上アナログテレビジョン放送のＶＨＦ帯６チャンネルを選局チャンネルとした場合における中間信号の周波数スペクトル図である。
【図１１】局部発振周波数ｆＬＯをLower-Localに、中間周波数ｆＩＦを３．７ＭＨｚに設定し、地上アナログテレビジョン放送のＶＨＦ帯６チャンネルを選局チャンネルとした場合における中間信号の周波数スペクトル図である。
【図１２】地上アナログテレビジョン放送のＶＨＦ帯における４〜６チャンネル及び８チャンネルのＲＦ信号の周波数スペクトル図である。
【図１３】局部発振周波数ｆＬＯをLower-Localに、中間周波数ｆＩＦを３．７ＭＨｚに設定し、地上アナログテレビジョン放送のＶＨＦ帯８チャンネルを選局チャンネルとした場合における中間信号の周波数スペクトル図である。
【図１４】本実施の形態におけるチューナモジュールが行う局部発振周波数ｆＬＯの設定処理の一例を説明するためのフローチャートである。
【図１５】本実施の形態におけるチューナモジュールが行う局部発振周波数ｆＬＯの設定処理の一例を説明するためのフローチャートである。
【図１６】本実施の形態におけるチューナモジュールが行う局部発振周波数ｆＬＯの設定処理の一例を説明するためのフローチャートである。
【発明を実施するための形態】
【００１４】
以下、本発明を実施するための最良の形態（以下、「本実施の形態」という。）について図面を参照しながら説明する。なお、説明は以下の順序で行う。
１．本実施の形態におけるチューナモジュールの構成
２．本実施の形態におけるチューナモジュールの局部発振周波数制御動作
＜１．本実施の形態におけるチューナモジュールの構成＞
【００１５】
図４は、本実施の形態におけるチューナモジュール１の内部構成を示すブロック図である。本実施の形態におけるチューナモジュール１は、Ｓｉ，ＳｉＧｅ等の半導体にＣＭＯＳ（Complementary Metal Oxide Semiconductor）型のＲＦ回路を集積するシリコンチューナＩＣからなる。また、チューナモジュール１は、アンテナから入力されるＲＦ信号を所定の低い周波数に変換して処理を行うＬｏｗ−ＩＦアーキテクチャを採用する。これにより、チューナモジュール１は、従来の標準的なスーパーヘテロダイン方式を採用するチューナモジュールに比べて部品点数を大幅に削減した小型の回路構成とされる。
【００１６】
チューナモジュール１は、入力端子１１と、同調回路１２と、高周波増幅回路１３と、混合回路１４と、イメージ除去回路１５と、制御回路１６と、局部発振信号を発振する局部発振回路１７と、メモリ１８とを備えて所望のチャンネルの周波数の選局処理を行う。チューナモジュール１は、地上アナログテレビジョン放送、地上デジタルテレビジョン放送等の放送波を受信することが可能である。チューナモジュール１が地上アナログテレビジョン放送の放送波を受信する場合、アンテナ１１Ａにて受信された地上アナログテレビジョン放送の放送波は、入力端子１１を介して同調回路１２に供給される。
【００１７】
同調回路１２は、帯域制限フィルタを備える。同調回路１２は、制御回路１６による制御に基づいてこの帯域制限フィルタにより入力端子１１から供給された地上アナログテレビジョン放送のＲＦ信号の内、ユーザの所望のチャンネルの帯域外の信号レベルを低減する。このようにして、同調回路１２は、選局チャンネルを設定する。そして、同調回路１２は、所望のチャンネルの帯域外の信号レベルが低減されたＲＦ信号を高周波増幅回路１３に供給する。高周波増幅回路１３は、同調回路１２より供給されたＲＦ信号を増幅して混合回路１４に供給する。
【００１８】
混合回路１４は、高周波増幅回路１３より供給されたＲＦ信号と局部発振回路１７から発振された局部発振周波数ｆＬＯの局部発振信号とを混合して中間周波数ｆＩＦの中間信号にダウンコンバートする。混合回路１４は、得られた中間信号をイメージ除去回路１５に供給する。
【００１９】
イメージ除去回路１５は、混合回路１４から供給された中間信号に対してイメージ妨害となる信号を減衰又は除去するための、振幅と位相とを逆相にしてキャンセル処理を行うイメージ除去フィルタを備える。
【００２０】
チューナモジュール１には中間信号が使用されるため、イメージ周波数による干渉波（イメージ妨害）が生じる虞がある。イメージ周波数は、局部発振周波数ｆＬＯを中心として、所望のチャンネルの中心周波数と対称的に配置される。また、イメージ周波数は、中間信号を直接妨害することによってチューナモジュール１に大きな悪影響をもたらす虞がある。
【００２１】
制御回路１６は、ユーザのチャンネル選択操作に応じて、同調回路１２を制御する。また、制御回路１６は、イメージ除去回路１５が混合回路１４から供給された中間信号に対してイメージ妨害となる信号を減衰又は除去するための所定の設定値をイメージ除去回路１５に供給することにより、イメージ除去回路１５を制御する。
【００２２】
また、制御回路１６は、局部発振回路１７が、選局チャンネルに応じてイメージ妨害となる受信妨害の影響を抑制するための局部発振周波数ｆＬＯを発振するように局部発振回路１７を制御する。具体的に、選局チャンネルに応じて受信妨害の影響を抑制するための選局チャンネルに応じた局部発振周波数ｆＬＯが設定されて、メモリ１８が備えるテーブルにチャンネル毎に記憶されている。制御回路１６は、この設定値を選択して読み出し局部発振回路１７に供給する。局部発振回路１７は、制御回路１６より供給された設定値である局部発振周波数ｆＬＯの局部発振信号を発振して混合回路１４に供給する。
【００２３】
例えば、制御回路１６は、選局チャンネルに応じて、局部発振周波数ｆＬＯが選局チャンネルの中心周波数よりも高周波側（Upper-Local）又は低周波側（Lower-Local）になるような局部発振周波数ｆＬＯを局部発振回路１７に供給する。Ｌｏｗ−ＩＦアーキテクチャを採用するチューナモジュール１において、この局部発振周波数ｆＬＯは、選局チャンネルの中心周波数に近い値に設定される。
【００２４】
メモリ１８は、制御回路１６が局部発振回路１７に対して局部発振周波数ｆＬＯの切替制御動作を行うための、各チャンネルに応じた局部発振周波数ｆＬＯの設定値を記憶するテーブル（図示せず）を有する。制御回路１６による局部発振周波数ｆＬＯの設定処理は、例えばチューナモジュール１のプリセット時に行われる。チャンネル毎の局部発振周波数ｆＬＯの設定値は、このテーブルに記憶される。
【００２５】
図５は、従来の一般的なチューナモジュールであるチューナモジュール２００の内部構成を詳細に示す図である。チューナモジュール２００において、地上波デジタル・アナログ放送信号は、入力端子２０１から入力され、ＩＦフィルタ２１１を通り、同調回路（ＢＰＦ）２１２に供給される。同調回路２１２は、所望のチャンネル周波数（ＶＨＦ（Very High Frequency）、ＣＡＴＶ（Community Antenna Television）、ＵＨＦ（Ultra High Frequency））を選局する。続いて、所望のチャンネル周波数に選局された信号は、ＲＦ ＡＧＣ（Radio Frequency Automatic Gain Control）電圧でレベルがコントロールされているＡＧＣアンプ２１３で一定のレベルに揃えられる。一定のレベルに揃えられた信号は、ＭＯＰＬＬ（mixer oscillator／phase locked loop）２１４に入力される。
【００２６】
ＭＯＰＬＬ２１４では、入力信号がミキサ２１４Ａで中間周波数（ＩＦ５７ＭＨｚ中心）の中間信号（ＩＦ）にダウンコンバートされ、ＩＦアンプ２１４Ｂで増幅された後、出力される。この出力信号は、ＳＡＷフィルタ２１５で帯域外の不要な信号が除去され、ＩＦアンプ２１６を通り、回路部２０４のＳＡＷフィルタ（ＶＩＦ）２０４Ａ及びＳＡＷフィルタ（ＳＩＦ）２０４Ｂへと入力される。また、ＳＡＷフィルタ２１５から出力された信号は、ＡＧＣアンプ２１４Ｃを介して回路部２０３のＳＡＷフィルタ２０３Ａに入力されてＩＦアンプ２０３Ｂに供給される。
【００２７】
チューナモジュール１は、このような従来のチューナモジュール２００における回路部２０２〜２０４の機能をＩＣに集積化し、図６に示す回路構成としたものである。
【００２８】
図６において、入力端子４１（図４の入力端子１１に相当）より入力されたＲＦ信号は、スイッチ４２及び切替端子４３を介してＲＦトラッキング調整部４４に入力される。ＲＦトラッキング調整部４４は、６つの同調回路４４１（図４の同調回路１２に相当）と、３つの高周波増幅回路４４２（図４の高周波増幅回路１３に相当）とを備える。６つの同調回路４４１と、３つの高周波増幅回路４４２とは、２つの同調回路４４１と１個の高周波増幅回路４４２との組合せからなる３組の回路部により構成される。入力されたＲＦ信号の周波数帯域に応じた切替端子４３の切替動作により、同調回路４４１にＲＦ信号が供給される。
【００２９】
ＶＣＯ（voltage controlled oscillator）４５（図４の局部発振回路１７に相当）は、３つの局部発振回路を備える。ＲＦトラッキング調整部４４からの信号と、ＶＣＯ４５のうちＲＦ信号の周波数帯域に応じて選択された局部発振回路からの局部発振信号とは、混合回路４６（図４の混合回路１４に相当）にて混合されダウンコンバートされて中間周波数ｆＩＦを有する中間信号に変換される。
【００３０】
混合回路４６から出力された中間信号は、利得位相調整回路４７（図４のイメージ除去回路１５に相当）に供給される。利得位相調整回路４７は、混合回路４６から出力された信号に対して利得と位相の調整を行い、イメージ妨害となる信号を低減又は除去する。
【００３１】
利得位相調整回路４７より出力された信号は、バンドパスフィルタ（ＢＰＦ）４８等を通過した後、出力端子４９より出力される。
【００３２】
なお、端子群５１には、ＣＰＵ（Central Processing Unit）、ＲＯＭ（Read Only Memory）、ＲＡＭ（Random Access Memory）等を搭載したＩＣ（図示せず）が接続される。図４の制御回路１６は、これらＣＰＵ、ＲＯＭ、ＲＡＭ等からなり、また、図４のメモリ１８は、このＲＡＭの一部領域とされる。
【００３３】
チューナモジュール１は、上述したようにＬｏｗ−ＩＦアーキテクチャを採用する。そこで、チューナモジュール１が、例えば、中間周波数を４ＭＨｚに、また、局部発振周波数ｆＬＯを選局チャネルの中心周波数よりも４ＭＨｚ高い値に設定したと仮定する。この場合、イメージ妨害となる可能性のある周波数帯域は、選局チャンネルの中心周波数よりも８ＭＨｚ高い周波数を中心とした周波数帯域になる。
【００３４】
例えば選局チャンネルをＶＨＦ帯の第１チャンネル（中心周波数９３ＭＨｚ）とした場合、局部発振周波数ｆＬＯは、９７ＭＨｚとなる。また、イメージ妨害を引き起こす妨害波となる可能性のある周波数帯域は、１０１ＭＨｚを中心とした６ＭＨｚの周波数帯域となる。このとき、混合回路１４によってダウンコンバートされて得られた選局チャンネルの映像信号の中間周波数は、５．７５ＭＨｚである。
【００３５】
ここで、イメージ妨害となる可能性のある信号は、選局チャンネルの１つ上のチャンネルの音声信号（中間周波数４．７５Ｈｚ）、及び、選局チャンネルの２つ上のチャンネルの映像信号（搬送波周波数６．２５ＭＨｚ）である。しかしながら、一般に、音声信号は、映像信号よりもレベルが低い。また、音声信号は、ＡＭ変調を行うため、希望波となる選局チャンネルの映像信号に与える妨害の影響は少ない。また、希望波となる選局チャンネルの映像信号の周波数帯域の外側の信号は、同調回路１２にて帯域制限されることから検波する段階で妨害を受けにくい。このため、イメージ除去回路１５が、イメージ妨害を引き起こす妨害波を抑制することが十分に可能である。以下、チューナモジュール１を日本国内で使用し、日本のテレビジョン放送の放送波を受信する場合の例について詳細に説明する。なお、チューナモジュール１は、テレビジョン受信機のシステム構成や受信チャンネル周波数の間隔等が異なる世界各地域（世界各国を含む）においてその地域で受信可能なテレビジョン放送の放送波を受信する場合についても適用することが可能である。
【００３６】
現在の日本の地上アナログテレビジョン放送の放送帯は、ＶＨＦ（ＬＯＷチャンネル；１〜３チャンネル）、ＶＨＦ（ＨＩＧＨチャンネル；４〜１２チャンネル）、ＵＨＦ（１３〜６２チャンネル）の３つの編成からなる。ここで、隣り合ったチャンネルを使用すると混信等が起こる虞があるため、チャンネルは、各編成間を除き１つおきに割り当てられている。また、ＶＨＦ（ＬＯＷチャンネル；１〜３チャンネル）においては、２チャンネルに割り当てると残りの１，３チャンネルは隣接するため使用できなくなるため、１，３チャンネルを使用するようにしている。
【００３７】
図７（Ａ）は、地上アナログテレビジョン放送のＶＨＦ帯における一部のチャンネルの周波数割り当ての状態を示す概念図である。各チャンネルは、６ＭＨｚの帯域を有する。また、各チャンネルの間隔は、各チャンネルの帯域が重複しないように、基本的に６ＭＨｚとなっている。しかしながら、７チャンネルの帯域及び８チャンネルの帯域は、例外的に２ＭＨｚ分だけ重複し４ＭＨｚとなっている。なお、７チャンネルと８チャンネルが同一地域に割り当てられることはないので、混信の問題は生じない。
【００３８】
また、図７（Ｂ）は、このＶＨＦ帯において、地上アナログテレビジョン放送と地上デジタル音声放送が混在した場合の周波数割り当てを示す概念図である。６チャンネルと８チャンネルとの間の帯域は、４ＭＨｚであるが、地上デジタル音声放送の伝送帯域幅は、１セグメント形式の場合で４２９ｋＨｚ、３セグメント方式の場合で１２８９ｋＨｚである。このため、７チャンネルの帯域を利用して隣接する６チャンネル及び８チャンネルの地上アナログテレビジョン放送に混信を与えることなく放送することが可能である。
【００３９】
現在の日本の地上アナログテレビジョン放送のＶＨＦ帯においては、このように、６チャンネルと８チャンネルとの間、及び、７チャンネルと９チャンネルとの間隔は、ともに４ＭＨｚである。これらは、他の２つのチャンネルの間隔よりも２ＭＨｚ小さい。このため、６チャンネル又は７チャンネルを受信した場合、近隣のチャンネルのＲＦ信号によるイメージ妨害を受ける虞がある。
【００４０】
なお、チューナモジュール１は、地上アナログテレビジョン放送だけでなく、例えばケーブルテレビジョン（ＣＡＴＶ）放送の放送信号をも受信することができる。例えばＣＡＴＶ放送のスーパーハイバンドにおいて、Ｃ２６チャンネルとＣ２８チャンネルとの間隔、及び、Ｃ２７チャンネルとＣ２９チャンネルとの間隔は、ともに１０ＭＨｚである。これらは、他のチャンネル間の間隔よりも２ＭＨｚ小さい。したがって、チューナモジュール１がＣＡＴＶ放送のスーパーハイバンドのＣ２６チャンネル又はＣ２７チャンネルを選局した場合も、近隣のチャンネルのＲＦ信号によるイメージ妨害を受ける虞がある。
【００４１】
チューナモジュール１は、例えば、中間周波数を４ＭＨｚ、局部発振周波数ｆＬＯを選局チャネルの中心周波数よりも高周波側に設定する。この場合、局部発振周波数ｆＬＯは、選局チャネルの中心周波数よりも４ＭＨｚ高い値とされる。選局チャンネルのＲＦ信号は、混合回路１４にて、局部発振回路１７から発振される局部発振周波数ｆＬＯの局部発振信号と混合されてダウンコンバートされる。すると、中心周波数４ＭＨｚ、周波数帯域６ＭＨｚの中間信号が得られる。選局チャンネルのＲＦ信号よりも１チャンネル又は２チャンネル上のチャンネルにＲＦ信号が存在すると、この信号も混合回路１４にてダウンコンバートされ、得られる中間信号が選局チャンネルに対する妨害波となる虞がある。
【００４２】
また、チューナモジュール１は、例えば、中間周波数を３．７ＭＨｚ、局部発振周波数ｆＬＯを受信チャネルの中心周波数よりも低周波側に設定する。この場合、局部発振周波数ｆＬＯは、受信チャネルの中心周波数よりも３．７ＭＨｚ低い値とされる。選局チャンネルのＲＦ信号は、混合回路１４にて、局部発振回路１７から発振される局部発振周波数ｆＬＯの局部発振信号と混合されてダウンコンバートされる。すると、中心周波数３．７ＭＨｚ、周波数帯域６ＭＨｚの中間信号が得られる。選局チャンネルのＲＦ信号よりも１チャンネル又は２チャンネル下のチャンネルにＲＦ信号が存在すると、この信号も混合回路１４にてダウンコンバートされ、得られる中間信号が選局チャンネルに対する妨害波となる虞がある。
【００４３】
同調回路１２は、帯域制限フィルタにて選局チャンネルの搬送波のみを通過させるようにする。しかしながら、地上アナログテレビジョン放送のＶＨＦ帯における６チャンネルと８チャンネルとの間隔（或いは７チャンネルと９チャンネルとの間隔）、ＣＡＴＶ放送のスーパーハイバンドにおけるＣ２６チャンネルとＣ２８チャンネルとの間隔（或いはＣ２７チャンネルとＣ２９チャンネルとの間隔）は、それぞれ他のチャンネル間の間隔よりも２ＭＨｚ小さい。このため、イメージ妨害となる可能性のある近隣のチャンネル（１チャンネル又は２チャンネル上のチャンネル、或いは、１チャンネル又は２チャンネル下のチャンネル）のＲＦ信号の信号成分は完全に除去できない場合がある。
【００４４】
そこで、制御回路１６は、選局チャンネルに応じて、局部発振周波数ｆＬＯが受信したＲＦ信号の周波数よりも高周波側又は低周波側になるような局部発振周波数ｆＬＯを局部発振回路１７に供給する。制御回路１６は、このような処理により局部部発振回路１７が発振する局部発振周波数ｆＬＯを制御する。
＜２．本実施の形態におけるチューナモジュールの局部発振周波数制御動作＞
【００４５】
図８は、地上アナログテレビジョン放送のＶＨＦ帯における４〜６チャンネル及び８チャンネルのＲＦ信号の周波数スペクトル図である。この図８において、Ａ１は、４チャンネルのＲＦ信号のスペクトルであり、ａ１１，ａ１２は、それぞれ４チャンネルの映像搬送波、４チャンネルの音声搬送波である。また、Ｂ１は、４チャンネルのＲＦ信号のスペクトルであり、ｂ１１，ｂ１２は、それぞれ５チャンネルの映像搬送波、５チャンネルの音声搬送波である。また、Ｃ１は、６チャンネルのＲＦ信号のスペクトルであり、ｃ１１，ｃ１２は、それぞれ６チャンネルの映像搬送波、６チャンネルの音声搬送波である。また、Ｄ１は、８チャンネルのＲＦ信号のスペクトルであり、ｄ１１，ｄ１２は、それぞれ８チャンネルの映像搬送波、８チャンネルの音声搬送波である。
【００４６】
同調回路１２は、所望のチャンネルの帯域外の信号レベルを低減させるフィルタを備える。図８において、曲線５１は、同調回路１２が備える４チャンネル専用のフィルタによって低減される信号レベルを示す。また、曲線５２は、同調回路１２が備える６チャンネル専用のフィルタによって低減される信号レベルを示す。
【００４７】
図９は、局部発振周波数ｆＬＯをUpper-Localに、中間周波数ｆＩＦを４ＭＨｚに設定し、地上アナログテレビジョン放送のＶＨＦ帯４チャンネルを選局チャンネルとした場合における中間信号の周波数スペクトル図である。この場合、局部発振周波数ｆＬＯは、１７７ＭＨｚになる。なお、この図９に示す結果は、同調回路１２が備えるような４チャンネル専用のフィルタを用いていない場合に得られたものである。
【００４８】
この図９には、局部発振周波数ｆＬＯが１７７ＭＨｚの局部発振信号でＲＦ信号の周波数をダウンコンバートしたときの中間信号の周波数スペクトルが示されている。ここで、Ｌ１１は、４チャンネルの中間信号帯域（６ＭＨｚ）を示す。希望波となる４チャンネルの中間信号スペクトラムＡ２の内の映像搬送波ａ２１に対し、５チャンネルの中間信号スペクトラムＢ２の内の音声搬送波ｂ２１及び６チャンネルの中間信号スペクトラムＣ２の内の映像搬送波ｃ２１が妨害波となる虞がある。なお、現在の日本の地上アナログテレビジョン放送のＶＨＦ帯において、チャンネルは、各編成間を除き１つおきに割り当てられているため、５チャンネルのＲＦ信号による受信妨害はない。しかしながら、５チャンネルの周波数帯域において例えばＣＡＴＶ放送等の放送信号を受信する場合にこの図９に示すような妨害波発生の問題が生じる。
【００４９】
一般に、中間信号の周波数スペクトル図において、他チャンネルの映像搬送波又は音声搬送波が、選局チャンネルの映像搬送波と音声搬送波との間にあり選局チャンネルの映像搬送波に近い側に存在すると妨害波になり易い。図９に示す周波数スペクトル図においては、４チャンネルの映像搬送波ａ２１及び４チャンネルの音声搬送波ａ２２の間にあり４チャンネルの映像搬送波ａ２１に近い５チャンネルの音声搬送波ｂ２１が妨害波になり易い。
【００５０】
４チャンネルと６チャンネルとの間隔は、６ＭＨｚである。図８に示すように、チューナモジュール１は、このような設定条件下で、６チャンネルのＲＦ信号を同調回路１２が備える４チャンネル専用のフィルタによって低レベルにすることが可能である。
【００５１】
しかしながら、チューナモジュール１は、４チャンネルに隣接する５チャンネルのＲＦ信号をこの４チャンネル専用のフィルタによっても低レベルにすることはできない。このため、５チャンネルのＲＦ信号は、希望波である４チャンネルの中間信号スペクトラムＡ２に対する妨害波となる虞がある。
【００５２】
図１０は、局部発振周波数ｆＬＯをUpper-Localに、中間周波数ｆＩＦを４ＭＨｚに設定し、地上アナログテレビジョン放送のＶＨＦ帯６チャンネルを選局チャンネルとした場合における中間信号の周波数スペクトル図である。Upper-Localで６チャンネルを選局チャンネルとした場合、中間信号が４ＭＨｚであるとき局部発振周波数ｆＬＯは、１８９Ｈｚになる。なお、この図１０に示す結果は、同調回路１２が備える６チャンネル受信専用のフィルタを用いていない場合に得られたものである。
【００５３】
この図１０には、局部発振周波数ｆＬＯが１８９ＭＨｚの局部発振信号でＲＦ信号の周波数をダウンコンバートしたときの中間信号のスペクトルが示されている。ここで、Ｌ１２は、６チャンネルの中間信号帯域（６ＭＨｚ）を示す。
【００５４】
８チャンネルの映像搬送波ｄ３１は、６チャンネルの映像搬送波ｃ３１及び６チャンネルの音声搬送波ｃ３２の間にある。また、６チャンネルの中間信号スペクトラムＣ３の内の映像搬送波ｃ３１と、８チャンネル中間信号スペクトラムＤ３の内の映像搬送波ｄ３１との間隔は、僅かに１．５ＭＨｚである。このため、この８チャンネルの映像搬送波ｄ３１は、希望波である６チャンネルの中間信号スペクトラムＣ３に対する妨害波となる虞がある。
【００５５】
６チャンネルと８チャンネルとの間隔は、４ＭＨｚである。このような設定条件下では、同調回路１２が備える６チャンネル受信専用のフィルタによっては、図８に示すように８チャンネルのＲＦ信号を僅かにしか低減することができない。また、イメージ除去回路１５が備えるイメージ除去フィルタの性能では、８チャンネルのＲＦ信号による妨害波を完全に除去することができない。
【００５６】
なお、ここで、ＩＦ周波数を４ＭＨｚよりも大きな値にすれば、８チャンネルの中間周波数は小さくなり６チャンネルの中間周波数と離れた値になる。これは、イメージ妨害に対して有効な対策とも考えられるが、Ｌｏｗ−ＩＦアーキテクチャを採用するチューナモジュール１にとっては有効な方法とはいえない。
【００５７】
図１１は、局部発振周波数ｆＬＯをLower-Localに、中間周波数ｆＩＦを３．７ＭＨｚに設定し、地上アナログテレビジョン放送のＶＨＦ帯６チャンネルを選局チャンネルとした場合における中間信号の周波数スペクトル図である。Lower-Localで６チャンネルを選局チャンネルとした場合、中間信号が３．７ＭＨｚであるとき局部発振周波数ｆＬＯは、１８１．３Ｈｚになる。なお、この図１１に示す結果は、同調回路１２が備えるような６チャンネル受信専用のフィルタを用いていない場合に得られたものである。
【００５８】
この図１１には、局部発振周波数ｆＬＯが１８１．３ＭＨｚの局部発振信号でＲＦ信号の周波数をダウンコンバートしたときの中間信号のスペクトルが示されている。ここで、Ｌ１３は、６チャンネルの中間信号帯域（６ＭＨｚ）を示す。
【００５９】
局部発振周波数ｆＬＯを受信チャネルの中心周波数よりも３．７ＭＨｚ低い値にすることにより、妨害波となるＲＦ信号の周波数帯域は、希望波周波数よりも７．４ＭＨｚ低い値を中心とした周波数帯域になる。この設定条件下で、ＶＨＦ帯６チャンネルを受信した場合、１つ上の７チャンネルや２つ上の８チャンネルのＲＦ信号は、妨害になることはない。
【００６０】
希望波である６チャンネルの中間信号スペクトラムＣ４の内の映像搬送波ｃ４１に対し、４チャンネルの中間信号スペクトラムＡ４の内の音声搬送波ａ４１と、５チャンネルの中間信号スペクトラムＢ４の内の映像搬送波ｂ４１とは、６チャンネルの映像搬送波ｃ４１と６チャンネルの音声搬送波ｃ４２との間にある。このため、搬送波ａ４１，ｂ４１は、希望波である６チャンネルの中間信号スペクトラムＣ４に対する妨害波となる虞があるものの、少なくとも５チャンネルの映像搬送波ｂ４１は、６チャンネルの映像搬送波ｃ４１と２．１ＭＨｚも離れている。
【００６１】
図１２は、図８と同様、地上アナログテレビジョン放送のＶＨＦ帯における４〜６チャンネル及び８チャンネルのＲＦ信号の周波数スペクトル図である。この図１２において、図８と同様の箇所については、同一の符号を付して説明を省略する。この図１２において、曲線５３は、同調回路１２が備える６チャンネル専用のフィルタによって低減される信号レベルを示す。また、曲線５４は、同調回路１２が備える８チャンネル専用のフィルタによって低減される信号レベルを示す。信号ａ１２，ｂ１１は、６チャンネルの映像搬送波ｃ１１と十分に離れていることから同調回路１２が備えるような６チャンネル専用のフィルタによって十分に低減される。
【００６２】
なお、Upper-localに設定した場合であっても、局部発振周波数ｆＬＯの値を適当な値に設定することによりイメージ妨害を引き起こす妨害波を低減できる場合もある。
【００６３】
図１３は、局部発振周波数ｆＬＯをLower-Localに、中間周波数ｆＩＦを３．７ＭＨｚに設定し、地上アナログテレビジョン放送のＶＨＦ帯８チャンネルを選局チャンネルとした場合における中間信号の周波数スペクトル図である。Lower-Localで８チャンネルを選局チャンネルとした場合、中間信号が３．７ＭＨｚであるとき局部発振周波数ｆＬＯは、１９１．３Ｈｚになる。なお、この図１３に示す結果は、同調回路１２が備えるような８チャンネル専用のフィルタを用いていない場合に得られたものである。
【００６４】
この図１３には、局部発振周波数ｆＬＯが１９１．３ＭＨｚの局部発振信号でＲＦ信号の周波数をダウンコンバートしたときの中間信号のスペクトルが示されている。ここで、Ｌ１４は、８チャンネルの中間信号帯域（６ＭＨｚ）を示す。
【００６５】
６チャンネルの音声搬送波ｃ５１は、８チャンネルの映像搬送波ｄ５１と８チャンネルの音声搬送波ｄ５２との間にあり、６チャンネルの音声搬送波ｃ５１と８チャンネルの映像搬送波ｄ５１との間隔は僅かに１．６ＭＨｚである。すなわち、６チャンネルの音声搬送波ｃ５１は、希望波である８チャンネルの中間信号スペクトラムＤ５に対する妨害波となる虞がある。しかしながら、通常、音声搬送波は、映像搬送波よりもレベルが低く妨害波のレベルは低い。
【００６６】
なお、８チャンネルの１つ上のチャンネルである９チャンネルにＲＦ信号が存在しないならば局部発振周波数ｆＬＯは、Lower-LocalにするよりもUpper-Localにした方が受信妨害の影響はさらに抑制される。
【００６７】
このような図８〜１３と共に説明した例を踏まえ、チューナモジュール１は、イメージ妨害のない映像を復調するために、選局チャンネル毎に最適な局部発振周波数ｆＬＯを選択する。また、チューナモジュール１において、制御回路１６は、選局チャンネル毎の最適な局部発振周波数ｆＬＯの設定値をメモリ１８が備えるテーブルに記憶させる。制御回路１６による局部発振周波数ｆＬＯの設定処理は、例えばチューナモジュール１のプリセット時に行われるようにすることが可能である。
【００６８】
例えば、チューナモジュール１は、テレビジョン受像機を設置した段階で、全ての受信可能なチャンネルのＲＦ信号を受信する。ユーザは、受信できたＲＦ信号の周波数及び信号レベルを予め測定することが可能である。ユーザは、受信されるＲＦ信号のレベルを含めたＲＦ信号の周波数スペクトルを把握し、選局チャンネル毎に妨害を受けない局部発振周波数ｆＬＯを算出する。制御回路１６は、この算出された局部発振周波数ｆＬＯの設定値をメモリ１８が備えるテーブルに記憶させる。制御回路１６は、チューナモジュール１の周波数の選局処理時にメモリ１８が備えるテーブルに記憶されたデータから適切な設定値を選択するようにすることが可能である。
【００６９】
例えば、制御回路１６は、各選局チャンネルと、局部発振周波数ｆＬＯの最適値との組合せをメモリ１８が備えるテーブルに記憶させる。制御回路１６は、プリセット時にて設定された選局チャンネル毎の最適な局部発振周波数ｆＬＯである設定値をメモリ１８からいつでも読み出して任意に設定値を調整することが可能である。
【００７０】
ここで、チューナモジュール１における局部発振周波数ｆＬＯの制御処理の一例を図１４のフローチャートを参照しながら説明する。なお、ここでは、局部発振周波数ｆＬＯの初期設定がUpper-Localである場合について説明する。
【００７１】
ステップＳ１１において、チューナモジュール１が備える同調回路１２は、テレビジョン放送のＲＦ信号に対する周波数選択を行い所望のチャンネルを選局チャンネルとして設定する。
【００７２】
ステップＳ１２において、制御回路１６は、選局チャンネルが地上アナログテレビジョン放送のＶＨＦ帯の６，７チャンネル、ＣＡＴＶのスーパーハイバンドのＣ２６，Ｃ２７チャンネルの何れのチャンネルに該当するか否かを判断する。このステップＳ１２において、選局チャンネルが地上アナログテレビジョン放送のＶＨＦ帯の６，７チャンネル、ＣＡＴＶのスーパーハイバンドのＣ２６，Ｃ２７チャンネルの何れかに該当すると判断した場合にはステップＳ１４に進み、選局チャンネルがこれらの何れのチャンネルにも該当しないと判断した場合にはステップＳ１３に進む。
【００７３】
ステップＳ１３において、制御回路１６は、選局チャンネルの１つ上のチャンネルにレベルの大きなＲＦ信号が存在するか否かを判断する。このステップＳ１３において、制御回路１６は、選局チャンネルの１つ上のチャンネルにレベルの大きなＲＦ信号が存在すると判断した場合にはステップＳ１５に進む。一方、このステップＳ１３において、制御回路１６は、選局チャンネルの１つ上のチャンネルにレベルの大きなＲＦ信号が存在しないと判断した場合にはステップＳ１６に進む。
【００７４】
ステップＳ１４において、制御回路１６は、局部発振周波数ｆＬＯをLower-Localに、中間周波数ｆＩＦを３．７ＭＨｚに設定する。先の図１１と共に説明したように、局部発振周波数ｆＬＯを選局チャネルの中心周波数よりも３．７ＭＨｚ低い値にすることにより、妨害波となるＲＦ信号の周波数帯域は、希望波周波数よりも７．４ＭＨｚ低い値を中心とした周波数帯域になる。この設定条件下で、ＶＨＦ帯６チャンネルを選局した場合、１つ上のチャンネルや２つ上のチャンネルのＲＦ信号は、妨害になることはない。また、選局チャンネルの中間信号帯域内に存在する他のチャンネルの信号は、同調回路１２が備える選局チャンネル専用のフィルタによって十分に低減される。
【００７５】
ステップＳ１５において、制御回路１６は、ステップＳ１４と同様に、局部発振周波数ｆＬＯをLower-Localに、中間周波数ｆＩＦを３．７ＭＨｚに設定する。すなわち、希望する選局チャンネルの１つ上のチャンネルにレベルの大きなＲＦ信号が存在する場合も、局部発振周波数ｆＬＯをLower-Localに、中間周波数ｆＩＦを３．７ＭＨｚに設定することにより、ステップＳ１４と同様に、受信妨害の影響を抑制することができる。
【００７６】
ステップＳ１６において、制御回路１６は、局部発振周波数ｆＬＯをUpper-Localに、中間周波数ｆＩＦを４ＭＨｚに設定する。この場合、チューナモジュール１は、このような設定条件下で、同調回路１２が備える選局チャンネル専用のフィルタによって妨害波となり得る他のチャンネルの信号を低レベルにすることが可能である。
【００７７】
このように、本実施の形態におけるチューナモジュール１は、選局チャンネルの中間周波数の信号の帯域内において、他チャンネルからの妨害波の影響を抑える局部発振周波数に制御する。すなわち、チューナモジュール１は、制御回路１６が、選局チャンネルに応じて、局部発振周波数ｆＬＯが、受信したＲＦ信号の周波数よりも高周波側又は低周波側になるような局部発振周波数ｆＬＯを局部発振回路１７に供給する。チューナモジュール１は、このように局部部発振回路１７が発振する局部発振周波数ｆＬＯを、選局チャンネルの中間周波数の信号の帯域内において、他チャンネルからの妨害波の影響を抑えるような値に制御する。これにより、チューナモジュール１は、Ｌｏｗ−ＩＦアーキテクチャを採用していても、選局チャンネルの近隣のチャンネルに存在するＲＦ信号に基づく受信妨害の影響を抑制することができる。
【００７８】
以上、チューナモジュール１が日本国内のテレビジョン放送を受信する場合について説明したが、上述したように、チューナモジュール１は、世界各地域において適用することが可能である。一般に、テレビジョン放送のチャンネル毎の周波数（受信チャンネル周波数）は、国や地域によって異なる。チューナモジュール１は、以下に述べるように、テレビジョン放送を受信する地域に最適なｆＬＯを設定する制御を行うことにより、受信チャンネル周波数の間隔が異なる何れの地域においても適用することが可能となる。
【００７９】
具体的に、チューナモジュール１は、テレビジョン受信機のプリセット時に、テレビジョン放送波を受信し、受信したテレビジョン放送波のＲＦ信号をシグナルスキャンして受信チャンネル周波数のデータを取得する。そして、チューナモジュール１は、取得した受信チャンネル周波数のデータをテーブル化し、図４に示すメモリ１８に記憶させる。チューナモジュール１は、このテーブルを参照して局部発振周波数ｆＬＯの制御処理を行う。
【００８０】
図１５は、チューナモジュール１における局部発振周波数ｆＬＯの制御処理の一例を説明するためのフローチャートである。なお、図１５に示す処理において図１４と同様の処理内容については、詳細な説明を省略する。また、この図１５に示す処理において、局部発振周波数ｆＬＯは、Upper-Localに初期設定されている。
【００８１】
ステップＳ２１において、チューナモジュール１が備える同調回路１２は、ＲＦ信号に対する周波数選択を行う。そして、同調回路１２は、例えばメモリ１８が備えるテーブルの受信チャンネル周波数のデータを参照することにより、所望のチャンネルを選局チャンネルとして設定する。
【００８２】
ステップＳ２２において、チューナモジュール１が備える制御回路１６は、メモリ１８が備えるテーブルに記憶された、プリセット時に取得された受信チャンネル周波数のデータを参照し、選局チャンネルのチャンネル周波数よりも周波数が高い、すなわち選局チャンネルのチャンネル周波数よりも高周波側の、この選局チャンネルよりも１つ上位のチャンネルに放送（放送局）があるか否かを判断する。制御回路１６が１つ上位のチャンネルに放送がないと判断した場合にはステップＳ２３に進む。一方、制御回路１６が１つ上位のチャンネルに放送があると判断した場合にはステップＳ２４に進む。
【００８３】
ステップＳ２３において、制御回路１６は、そのチャンネルにある信号が大入力であるか否か、すなわち選局チャンネルよりも１つ上位のチャンネルに放送波や放送波以外のレベルの大きな信号（ＲＦ信号、ノイズ等）があるか否かを判断する。具体的に、ステップＳ２３において、制御回路１６は、図４に示す高周波増幅回路１３（図６に示す高周波増幅回路４４２に相当）を制御する制御データ（ＡＧＣデータ）を取得する。高周波増幅回路１３は、利得制御を行うため、変調方式がチューナモジュール１と異なる信号であるノイズを受信した場合であっても、ノイズレベルに反応してノイズを検知することができる。高周波増幅回路１３の制御データのレベルは、放送波、ＲＦ信号、ノイズ等の受信信号のレベルに比例する。制御回路１６は、取得した高周波増幅回路１３の制御データのレベルが予め設定した所定の閾値以上であるか否かを判断する。制御回路１６は、高周波増幅回路１３の制御データのレベルが所定の閾値以上であると判断した場合には、選局チャンネルよりも１つ上位のチャンネルにレベルの大きな信号があると判断する。
【００８４】
このようにして、制御回路１６が選局チャンネルよりも１つ上位のチャンネルに放送波や放送波以外のレベルの大きな信号があると判断した場合にはステップＳ２５に進む。一方、制御回路１６が選局チャンネルよりも１つ上位のチャンネルに放送波や放送波以外のレベルの大きな信号がないと判断した場合にはステップＳ２６に進む。
【００８５】
ステップＳ２４において、制御回路１６は、ステップＳ２１で設定した選局チャンネルの局部発振周波数ｆＬＯをLower-Localに設定する。この際、制御回路１６は、中間周波数ｆＩＦを最適な値に設定するようにしてもよい。局部発振周波数ｆＬＯをLower-Localに設定することにより、局部発振周波数ｆＬＯは、選局チャンネルの中心周波数よりも中間周波数ｆＩＦだけ低い値とされる。そして、妨害波となるＲＦ信号の周波数帯域は、希望波周波数よりも十分に低い値を中心とした周波数帯域になる。この設定条件下で、１つ上位のチャンネルに放送波や放送波以外のレベルの大きな信号がある場合でもこれらの信号が妨害になることはない。
【００８６】
ステップＳ２５において、制御回路１６は、選局チャンネルの局部発振周波数ｆＬＯをLower-Localに設定する。
【００８７】
ステップＳ２６において、制御回路１６は、選局チャンネルの局部発振周波数ｆＬＯをUpper-Localに設定する。
【００８８】
このように、チューナモジュール１は、選局チャンネルの局部発振周波数ｆＬＯを最適な値に設定することで、同調回路１２が備える選局チャンネル専用のフィルタによって妨害波となり得る隣接するチャンネルの信号を十分に低レベルにすることが可能である。これにより、チューナモジュール１は、テレビジョンシステムや受信チャンネル周波数の間隔が異なる世界各地域において、その地域で受信可能なテレビジョン放送の放送波を受信することができる。
【００８９】
また、チューナモジュール１は、例えば図１６に示す手順に従って局部発振周波数ｆＬＯを制御するようにしてもよい。なお、図１６に示す処理において、図１４又は図１５と同様の処理内容については、詳細な説明を省略する。図１６に示す処理においても、局部発振周波数ｆＬＯは、Upper-Localに初期設定されている。図１６に示す処理では、チューナモジュール１は、選局チャンネルよりも１つ上位のチャンネルに設定し、このチャンネルにレベルの大きな信号がある場合には、局部発振周波数ｆＬＯをLower-Localに設定する。
【００９０】
すなわち、ステップＳ３１において、チューナモジュール１が備える同調回路１２は、テレビジョン放送のＲＦ信号に対する周波数選択を行い、所望のチャンネルを選局チャンネルとして設定する。
【００９１】
ステップＳ３２において、同調回路１２は、テレビジョン放送のＲＦ信号に対する周波数選択を行い、ステップＳ３１において設定された選局チャンネルのチャンネル周波数よりも高周波側の、選局チャンネルよりも１つ上位のチャンネルを設定する。
【００９２】
ステップＳ３３において、制御回路１６は、選局チャンネルよりも１つ上位のチャンネルに放送波、ＲＦ信号、ノイズ等のレベルの大きな信号があるか否かを判断する。具体的に、ステップＳ３３において、制御回路１６は、高周波増幅回路１３を制御する制御データ（ＡＧＣデータ）を取得する。制御回路１６は、取得した高周波増幅回路１３の制御データのレベルが予め設定した所定の閾値以上であるか否かを判断する。制御回路１６は、高周波増幅回路１３の制御データのレベルが所定の閾値以上であると判断した場合には、選局チャンネルよりも１つ上位のチャンネルにレベルの大きな信号があると判断する。
【００９３】
制御回路１６が選局チャンネルよりも１つ上位のチャンネルに放送波以外のレベルの大きな信号があると判断した場合にはステップＳ３４に進む。一方、制御回路１６が選局チャンネルよりも１つ上位のチャンネルに放送波以外のレベルの大きな信号がないと判断した場合にはステップＳ３５に進む。
【００９４】
ステップＳ３４において、制御回路１６は、ステップＳ３１で設定された選局チャンネルの局部発振周波数ｆＬＯをLower-Localに設定する。
【００９５】
ステップＳ３５において、制御回路１６は、選局チャンネルの局部発振周波数ｆＬＯをUpper-Localに設定する。
【００９６】
このような図１６の局部発振周波数ｆＬＯの制御処理では、プリセット時のシグナルスキャンによって取得した受信チャンネル周波数のデータを参照することがないため、モバイルテレビ等、常に受信環境が変化するアプリケーションに適用することができる。
【００９７】
以上述べたように、チューナモジュール１は、選局チャンネルの中間周波数の信号の帯域内において、他チャンネルからの妨害波の影響を抑える局部発振周波数に制御する。チューナモジュール１は、妨害となる信号が放送波でない場合であっても、所望の選局チャンネルの放送波を受信することができる。これにより、チューナモジュール１は、世界の何れの地域においても、その地域で受信可能なテレビジョン放送の放送波を受信することが可能である。
【００９８】
なお、本発明は上述した実施の形態のみに限定されるものではなく、本発明の要旨を逸脱しない範囲において種々の変更が可能であることは勿論である。
【００９９】
上述した実施の形態では、チューナモジュール１が地上アナログテレビジョン放送を受信する場合について説明したが、チューナモジュール１は、地上デジタルテレビジョン放送を受信することも可能である。地上デジタルテレビジョン放送に割り当てられたＵＨＦ（１３〜６２チャンネル）の内、隣接するチャンネルとの間隔が小さい所定のチャンネルに対しても、上述した実施の形態と同様に、最適な局部発振周波数ｆＬＯを設定することが可能である。
【０１００】
また、上述した実施の形態では、チューナモジュール１が局部発振周波数ｆＬＯをUpper-Localに初期設定した場合について説明したが、チューナモジュール１は、局部発振周波数ｆＬＯをLower-Localに初期設定するようにしてもよい。この場合においても、基本的に上述の図１４〜図１６に示す処理と同様の処理を行う。このため、図１４〜図１６と同様の処理動作については詳細な説明を省略する。
【０１０１】
例えば、図１５、図１６とそれぞれ同様の処理において、チューナモジュール１が局部発振周波数ｆＬＯをLower-Localに初期設定した場合、選局チャンネルの設定後、制御回路１６は、選局チャンネルのチャンネル周波数よりも周波数が低い、すなわち選局チャンネルのチャンネル周波数よりも低周波数側の、この選局チャンネルよりも１つ下位のチャンネルにレベルの大きな信号があるか否かを判断する。制御回路１６が１つ下位のチャンネルにレベルの大きな信号があると判断した場合には、局部発振周波数ｆＬＯをUpper-Localに設定する。一方、制御回路１６が１つ下位のチャンネルにレベルの大きな信号がないと判断した場合には、局部発振周波数ｆＬＯをLower-Localに設定する。
【符号の説明】
【０１０２】
１  チューナモジュール、１１  入力端子、１２  同調回路、１３  高周波増幅回路、１４  混合回路、１５  イメージ除去回路、１６  制御回路、１７  局部発振回路、１８  メモリ
【図１】
2010154501.tif 000003
【図２】
2010154501.tif 000004
【図３】
2010154501.tif 000005
【図４】
2010154501.tif 000006
【図５】
2010154501.tif 000007
【図６】
2010154501.tif 000008
【図７】
2010154501.tif 000009
【図８】
2010154501.tif 000010
【図９】
2010154501.tif 000011
【図１０】
2010154501.tif 000012
【図１１】
2010154501.tif 000013
【図１２】
2010154501.tif 000014
【図１３】
2010154501.tif 000015
【図１４】
2010154501.tif 000016
【図１５】
2010154501.tif 000017
【図１６】
2010154501.tif 000018